【手続補正書】
【提出日】平成18年12月14日(2006.12.14)
【手続補正１】
【補正対象書類名】明細書
【補正対象項目名】特許請求の範囲
【補正方法】変更
【補正の内容】
【特許請求の範囲】
【請求項１】  動画像セグメントを処理するシステムであって、
記述子を作成し、対応する動画像セグメントの少なくとも一つの値をこの記述子に特有のものにする手段と、
少なくとも二つの動画像セグメントから出力ビデオ制作物を組立てる手段で、前記少なくとも二つの動画像セグメントに対応する少なくとも一つの記述子の値によって前記少なくとも二つの動画像セグメントを選定する手段および前記少なくとも二つの動画像セグメントに対応する少なくとも一つの記述子の値によって前記少なくとも二つの動画像セグメントを配列する手段を含む手段と、を含むシステム。
【請求項２】  更に、少なくとも一つのグリッドを表示する手段を含み、前記少なくとも一つのグリッドの各々が基準として第一軸用に前記少なくとも二つの動画像セグメントの表現と第二軸用に前記少なくとも二つの動画像セグメントに対応する前記少なくとも一つの記述子とを持ち、前記少なくとも一つのグリッド内の各セルが前記少なくとも二つの動画像セグメントの一方に対応する前記少なくとも一つの記述子の一つに特有の少なくとも一つの値の表現を表示する請求項１に記載のシステム。
【請求項３】  前記少なくとも一つのグリッドが複数の列を含み、前記複数の列が、
前記少なくとも二つの動画像セグメントを視覚的に表現する列と、
前記少なくとも二つの動画像セグメントの音声コンテンツを視覚的に表現する列と、
前記少なくとも二つの動画像セグメントの一方に対応する記述子の複数の値の時系列グラフ表現を行う列とを含み、
前記少なくとも二つの動画像セグメントの各々の時間存続範囲が前記複数列の一つに示される請求項２に記載のシステム。
【請求項４】  前記少なくとも一つのグリッドが更に、第一および第二グリッドを含み、ビデオ素材を前記システムに入力すると、前記第一グリッドが前記入力ビデオ素材を実質的に元の状態で表現し、第二グリッドが前記出力ビデオ制作物を表現し、且つ、前記第一グリッドへの変化が前記第二グリッドへ対応する変化を引起す請求項３に記載のシステム。
【請求項５】  更に、動画像セグメント間に遷移を作成する手段を含む請求項１に記載のシステム。
【請求項６】  遷移を作成する前記手段が動画像セグメント間で動画像分解あるいは音声クロスフェードを作成する手段を含む請求項５に記載のシステム。
【請求項７】  記述子を作成する前記手段が前記システムへの移入の前に記述子とこの記述子に特有の少なくとも一つの値とを移入する手段を含む請求項１に記載のシステム。
【請求項８】  記述子を作成する前記手段が前記少なくとも二つの動画像セグメント内のその位置に従って順序数を割当てることにより前記少なくとも二つの動画像セグメントの一方に対応する記述子の値を作成する手段を含む請求項１に記載のシステム。
【請求項９】  少なくとも一つの値を記述子に特有のものにする前記手段が少なくとも一つの他の記述子に対する基準を持つ公式ないしはアルゴリズムを含む請求項１に記載のシステム。
【請求項１０】  更に、前記システムに入力されたビデオ素材を、利用者の直接操作により動画像セグメントの始点と終点の定義あるいは調整を可能にすることで、動画像セグメントに領域分割する手段を含む請求項１に記載のシステム。
【請求項１１】  更に、前記少なくとも二つの動画像セグメントの一方に対応する記述子の複数の時間的連続値から単一値を生成する手段を含む請求項１に記載のシステム。
【請求項１２】  前記選定手段が、前記少なくとも一つの記述子の値が目標値の範囲内に実質的にあるかどうかによって、前記少なくとも二つの動画像セグメントを選定する請求項１に記載のシステム。
【請求項１３】  前記配列づけ手段が前記少なくとも一つの記述子の値と目標値の間の差に従って前記少なくとも二つの動画像セグメントを順序づける請求項１に記載のシステム。
【請求項１４】  前記自動配列手段は配列則を選ぶ手段（９５２）を含む請求項１に記載のシステム。
【請求項１５】  更に、入力ビデオ素材のセグメントを定義する手段を含み、前記手段は、
１つ以上の時間連続記述子を得て、各時間連続記述子が一連の連続時間周期の各々で入力ビデオ素材の特性の値を示す手段（５０２）と、
時間連続記述子の少なくとも１つを用いて一連のセグメントン境界時間を生成し、前記セグメント境界時間が前記入力ビデオ素材のセグメントを定義する手段（５０８）と、
を含む請求項１に記載のシステム。
【請求項１６】  前記セグメントの各々の前記第１の記述子の値を得る手段と、
前記セグメントの少なくとも第１のものに対して少なくとも１つの第２の記述子の値を記述する手段と、
前記第１の記述子の値により前記第１のセグメントをセグメントの少なくとも他の１つとグループ化する手段と、
前記１つ以上の他のセグメントに対して前記第２の記述子の値を選択的にコピーする手段と、
を更に含む先の請求項のいずれかに記載のシステム。
【請求項１７】  動画像セグメントを処理する方法であって、
記述子を作成し、対応する動画像セグメントの少なくとも一つの値をこの記述子に特有のものにする工程と、
少なくとも二つの動画像セグメントから出力ビデオ制作物を組立てる工程とを含み、前記組立工程が、
前記少なくとも二つの動画像セグメントに対応する少なくとも一つの記述子の値に従って前記少なくとも二つの動画像セグメントを選定する工程と、
前記少なくとも二つの動画像セグメントに対応する少なくとも一つの記述子の値に従って前記少なくとも二つの動画像セグメントを配列づけする工程とを含む方法。
【請求項１８】  更に、少なくとも一つのグリッドを表示する工程を含み、前記少なくとも一つのグリッドの各々が基準として第一軸用に前記少なくとも二つの動画像セグメントの表現と第二軸用に前記少なくとも二つの動画像セグメントに対応する前記少なくとも一つの記述子とを有するもので、前記少なくとも一つのグリッド内の各セルが前記少なくとも二つの動画像セグメントの一方に対応する前記少なくとも一つの記述子の一つに特有のものにした少なくとも一つの値の表現を表示する請求項１７に記載の方法。
【請求項１９】  前記少なくとも一つのグリッドを表示する前記工程が複数の列を表示する工程を含み、前記複数の列が、
前記少なくとも二つの動画像セグメントを視覚的に表現する列と、
前記少なくとも二つの動画像セグメントの音声コンテンツを視覚的に表現する列と、
前記少なくとも二つの動画像セグメントの一方に対応する記述子の複数の値の時系列グラフ表現を行う列とを含み、
前記少なくとも二つの動画像セグメントの各々の時間存続範囲が前記複数列の一つに示される請求項１８に記載の方法。
【請求項２０】  前記少なくとも一つのグリッドを表示する前記工程が第一および第二グリッドを表示する工程を含み、入力ビデオ素材が与えられると、前記第一グリッドが前記入力ビデオ素材を実質的に元の状態で表現し、第二グリッドが前記出力ビデオ制作物を表現し、前記第一グリッドへの変化が前記第二グリッドへ対応する変化を引起す請求項１９に記載の方法。
【請求項２１】  更に、動画像セグメント間に遷移を作成する工程を含む請求項１７乃至２０のいずれかに記載の方法。
【請求項２２】  遷移を作成する前記工程が動画像セグメント間で動画像分解あるいは音声クロスフェードを作成する工程を含む請求項２１に記載の方法。
【請求項２３】  記述子を作成する前記工程が前記システムへの移入の前に記述子とこの記述子に特有の少なくとも一つの値とを移入する工程を含む請求項１７乃至２２のいずれかに記載の方法。
【請求項２４】  記述子を作成する前記工程が前記少なくとも二つの動画像セグメント内のその位置に従って順序数を割当てることにより前記少なくとも二つの動画像セグメントの一方に対応する記述子の値を作成する工程を含む請求項１７乃至２３のいずれかに記載の方法。
【請求項２５】  少なくとも一つの値を記述子に特有のものにする前記工程が少なくとも一つの他の記述子に対する基準を持つ公式ないしアルゴリズムにより前記少なくとも一つの値を前記記述子に特有のものにする工程を含む請求項１７乃至２４のいずれかに記載の方法。
【請求項２６】  更に、利用者の直接操作により動画像セグメントの始点と終点の定義や調整を可能にすることで入力ビデオ素材を動画像セグメントに領域分割する工程を含む請求項１７乃至２５のいずれかに記載の方法。
【請求項２７】  更に、前記少なくとも二つの動画像セグメントの一方に対応する記述子の複数の時間連続値から単一値を引出す工程を含む請求項１７乃至２６のいずれかに記載の方法。
【請求項２８】  前記選定工程が前記少なくとも一つの記述子の値が目標値の範囲内に実質的にあるかどうかによって前記少なくとも二つの動画像セグメントを選定する工程を含む請求項１７乃至２７のいずれかに記載の方法。
【請求項２９】  前記配列づけ工程が前記少なくとも一つの記述子の値と目標値の間の差に従って前記少なくとも二つの動画像セグメントを順序づける工程を含む請求項１７乃至２８のいずれかに記載の方法。
【請求項３０】  更に、選択則を選ぶ工程を含む請求項１７乃至２９のいずれかに記載の方法。
【請求項３１】  更に、工程（ａ）より前に実行される、入力ビデオ素材のセグメントを定義する工程を含み、この工程を、
１つ以上の時間連続記述子を得て（５０２）、各時間連続記述子が一連の連続時間周期の各々で入力ビデオ素材の特性の値を示すことと、
時間連続記述子の少なくとも１つを用いて一連のセグメントン境界時間を生成し（５０８）、前記セグメント境界時間が前記入力ビデオ素材のセグメントを定義すること、
により実行する請求項１７乃至３０のいずれかに記載の方法。
【請求項３２】  前記セグメントの各々の前記第１の記述子の値を得ることと、
前記セグメントの少なくとも第１のものに対して少なくとも１つの第２の記述子の値を記述することと、
前記第１の記述子の値により前記第１のセグメントをセグメントの少なくとも他の１つとグループ化することと、
前記１つ以上の他のセグメントに対して前記第２の記述子の値を選択的にコピーすることと、
を更に含む請求項１７乃至３１のいずれかに記載の方法。
【請求項３３】  動画像セグメントを処理する計算機プログラム製品であって、
動画像セグメントを処理する計算機使用可能媒体に具現化した計算機読取り可能プログラムコード手段を有する前記媒体を含み、
記述子を作成し、対応する動画像セグメントに対する少なくとも一つの値をこの記述子に特有のものにする計算機読取り可能プログラムコード手段と、
前記少なくとも二つの動画像セグメントに対応する少なくとも一つの記述子の値によって前記少なくとも二つの動画像セグメントを選定する計算機読取り可能プログラムコード手段、および前記少なくとも二つの動画像セグメントに対応する少なくとも一つの記述子の値によって前記少なくとも二つの動画像セグメントを配列づけする計算機読取り可能プログラムコード手段を含む、少なくとも二つの動画像セグメントから出力ビデオ制作物を組立てる計算機読取り可能プログラムコード手段と、を有する計算機プログラム製品。